(57)【要約】【課題】従来は、データーを保存して携帯するためにはUSB装置を、又、スマートカードを使用するためにはスマートカードリーダーを個別に準備する必要があり、USBドライブ装置は、保安（CSP）モジュールが搭載されていないため、盗難等の際にIDやパスワードだけが分かれば盗用が可能という問題点があった。また、従来のスマートカードリーダーは、スマートカードが標準化されていないためカードの種類によるモジュールを具備する必要があった。【解決手段】本発明は、USBドライブ装置にスマートカードの情報を読み取れるスマートカードリーダーの機能を追加し、スマートカードを装着するスロットに別途のアダプターを追加して、SD、MS、SM、MMCなどの多様なカードを利用できるようにしたスマートカードリーダー兼用USBドライブ装置を実現することにより従来の問題点を解決したものである。【選択図】  図１
2005044358.tif 000002
【特許請求の範囲】
【請求項１】
内部に印刷回路基板を含めた多数の部品が内蔵されたUSB本体部と、該USB本体部の一側に形成されたUSBコネクター部を有するUSBドライブ装置において、前記USB本体部は、
前記USBコネクターを通じてデーターの送受信を制御するUSB制御部と、
パーソナルコンピューターにつないだUSBハブ（hub）を制御してUSBポートの数を調節するUSBハブ制御部と、
前記USB部を通じて受信されたデーターを保存するメモリ部と、
前記USB本体部の他側にカードを挿入できるよう形成されたカード挿入口と、
前記カード挿入口を通じて挿入されたカードによってスイッチングされるカード接点スイッチと、
前記カード挿入口を通じて挿入されたカードのインターフェース部と接触するカード接触部と、
前記カード接点スイッチから受信されたシグナルによって前記カード接触部を通じて前記カードの情報を受信するよう制御するカード制御部と、
USBドライブ装置の動作をそれぞれ制御する中央処理装置部とを具備したことを特徴とするスマートカードリーダー兼用USBドライブ装置。
【請求項２】
請求項１において、カードは、スマートカード、マルチカードのいずれかであることを特徴とするスマートカードリーダー兼用USBドライブ装置。
【請求項３】
請求項2において、カードがマルチカードである場合、カード挿入口にマルチカードアダプターを挿入してから前記マルチカードを挿入することを特徴とするスマートカードリーダー兼用USBドライブ装置。
【請求項４】
請求項１において、USBコネクター部はパーソナルコンピュータのUSBポート、またはシリアルポートに接続されることを特徴とするスマートカードリーダー兼用USBドライブ装置。
【発明の詳細な説明】
【技術分野】
【０００１】
本発明は、データーを保存するUSBドライブ装置に、スマートカードの情報を読み取れるスマートカードリーダーの機能を附加したスマートカードリーダー兼用USB（Universal Serial Bus）ドライブ装置に関するものである。
【背景技術】
【０００２】
一般的に、USBドライブ装置は、PCのUSBポートにつないでPCにデーターを移動して記録するか、またはPCに保存されたデーターを読み取りして保存する携帯用データー保存装置である。これのために、前記USBドライブ装置は、フラッシュ（Flash）メモリ、イーイーピーロム(EEPROM)、イーピーロム（EPROM）などのような非揮発性のメモリを具備している。
前記USBドライブ装置は、コンパクトで携帯しやすいため、その需要が日増しに増加している。また、フラッシュメモリの価格が下落しながら、USBドライブ装置の保存容量およびデーター処理の速度が急速に速くなりつつあるうえに、便利で使いやすいため、USBドライブ装置の使用者はさらに増えると判断される。
【０００３】
一方、保存された情報を変更できるスマートカードは、主発行者（issuer）、副発行者および使用者たちの多様なサービス情報と、使用者個人のサービス情報に対してのセキュリティーや信頼性のため、銀行、カード会社、証券会社などの金融業界での既存のマグネチックカードに代わって次第にその使用を拡大させている。
前記スマートカードは、サービス情報を保存するメモリ以外に、メモリのサービス情報を登録、変更、また削除できる中央処理装置を具備している。
スマートカードの使用が次第に拡大されることによって、スマートカード（Multos, Java, K−Cashなど）を読み取りできるスマートカードリーダーも必要になってきた。
従来には、データーを保存して携帯できる携帯用データー保存装置であるUSBドライブ装置と、スマートカードを読み取りできるスマートカードリーダーがそれぞれ別に存在した。
【発明の開示】
【発明が解決しようとする課題】
【０００４】
従来は、データーを保存して携帯するために上記USB装置を準備する必要があり、又、スマートカードを使用するためにはスマートカードリーダーを別に準備する必要があった。
また、従来のUSBドライブ装置は、使用者が重要なデーターを紛失した場合、これを拾得した他人が使用できるという問題点があった。
また、従来のUSBドライブ装置は、インターネットバンキングやサイバー証券の際の公認認証書をUSBドライブに保存して使用しているが、保安（CSP）モジュールが搭載されていないため、盗難やハッキングの際にIDやパスワードだけを分かれば盗用が可能だという問題点があった。
また、従来のスマートカードリーダーは、スマートカードが標準化されていないためスマートカードの種類によるモジュールを具備する必要があった。したがって、従来のスマートカードリーダーは、その大きさのために携帯しづらい問題点があった。
また、従来には、スマートカードリーダーをPCにつないで使用するには、それぞれのPCにドライブを設置しなければ使用できなかったため、使用者は常にドライブCDを携帯しなければいけないという問題点があった。
【課題を解決するための手段】
【０００５】
本発明は、データーを保存するUSBドライブ装置にスマートカードの情報を読み取れるスマートカードリーダーの機能を追加したスマートカードリーダー兼用USBドライブ装置を実現することにより従来の問題点を解決したものである。
また、本発明は、スマートカードを装着するスロットに別途のアダプターを追加して、SD、MS、SM、MMCなどの多様なカードを利用できるようにしたスマートカードリーダー兼用USBドライブ装置を実現することにより従来の問題点を解決したものである。
また、本発明は、装置内に保安モジュール｛パスワードサービス提供者（Cryptographic Service Provider: CSP）モジュール｝を内蔵して、スマートカードの情報を暗号化してデーターをやり取りできるようにすることによって、外部からのハッキングや紛失時の個人情報を保護できるスマートカードリーダー兼用USBドライブ装置を実現することにより従来の問題点を解決したものである。
また、本発明は、既存のデーターの保存機能に認証書を保存できる別途の空間を確保し、使用者がデーターや認証書を保存できる機能を具備し、スマートカードを読み取れるスマートカードリードー機能を一緒に具備したスマートカードリーダー兼用USBドライブ装置を実現することにより従来の問題点を解決したものである。
【０００６】
上記の機能を達成するための本発明のスマートカードリーダー兼用USBドライブ装置は、内部に印刷回路基板を含めた多数の部品が内蔵されたUSB本体部と、USB本体部の一側に形成されたUSBコネクターを有するUSBドライブ装置において、前記USB本体部は、
前記USBコネクターを辻手データーの送受信を制御するUSB制御部：
パーソナルコンピュータにつないだUSBハブを制御してＵＳＢポートの数を調節するUSBハブ制御部；
前記USBコネクター部を通じて受信されたデーターを保存するメモリ部；
前記USB本体部の他側にカードを挿入できるように形成されたカード挿入口；
前記カード挿入口を通じて挿入されたカードによってスイッチングされるカード接点スイッチ；
前記カード挿入口を通じて挿入されたカードのインターフェース部と接触するカード接触部；
前記カード接点スイッチから受信されたシグナルによって前記カード接触部を通じて前記カードの情報を受信するよう制御するカード制御部；
USBドライブ装置の動作をそれぞれ制御する中央処理装置部とを具備したものである。
又、本発明のスマートカードリーダー兼用USBドライブ装置に使用されるカードは、スマートカード、マルチカードのどっちかであり、カードがマルチカードである場合、前記カード挿入口にマルチカードアダプターを挿入してから前記マルチカードを挿入するようにしている。
本発明のスマートカードリーダー兼用USBドライブ装置のUSBコネクター部はパーソナルコンピュータのUSBポート、またはシリアルポートに接続されるものである。
【発明の効果】
【０００７】
本発明のスマートカードリーダー兼用USBドライブ装置によると、データーを保存するUSBドライブ装置にスマートカードの情報を読み取れるスマートカードリーダーの機能を追加することによって、ひとつのUSB装置でデーターを保存することができ、またスマートカードを読み取ることもできる。
また、本発明は、スマートカードを装着するスロットに別途のアダプターを追加し、SD、MS、SM、MMCなど多様なカードを利用できる効果がある。
また、本発明は、装置内に保安モジュールを内蔵し、スマートカードの情報を暗号化してデーターをやり取りできるようにすることによって、外部からのハッキングや紛失時に個人情報を保護できる効果がある。
また、本発明は、既存のデーターの保存機能に認証書を保存できる別途の空間を確保し、使用者にデーターや認証書を保存できる機能を提供し、スマートカードを読み取れるスマートカードリードー機能を一緒に提供するメリットがある。
【発明を実施するための最良の形態】
【０００８】
以下、図面を参照し、本発明のスマートカードリーダー兼用USBドライブ装置について詳細に説明する。
図１は、本発明のスマートカードリーダー兼用USBドライブ装置の一実施例の構成図である。
本発明のスマートカードリーダー兼用USBドライブ装置（10）は、図1に図示されているように、USB制御部（13）、USBハブ制御部（14）、メモリ部（図示されていない）、カード挿入口（図示されていない）、カード接点スイッチ（15）、カード接触部（16）、カード制御部（17）および中央処理装置部（図示されていない）を含めた多数の部品が内蔵されたUSB本体部（11）と、前記USB本体部（11）の一側に突出形成されたUSBコネクター部（12）を具備している。
前記USB本体部（11）には、前記USB本体部（11）の他側にカード（例えば、スマートカードあるいはマルチカード）（20）を挿入できるように形成されたカード挿入口が形成されている。そして、USB本体部（11）には、前記カード挿入口を通じて挿入されたカード（スマートカード）（20）によってスイッチングされるカード接点スイッチ（15）が設置されている。
【０００９】
また、前記USB本体部（11）の内部には、前記カード挿入口を通じて挿入されたカード（20）のインターフェース部（図示されていない）と接触するカード接触部（16）が形成されている。この際、カード接触部（16）は、八つのピンからなっている接触端子で構成されており、これらの八つの接触端子は電源（VCC）端子、データー端子（D＋）（D−）を含めている。
また、前記USB本体部（11）の内部には、前記のカード接点スイッチ（15）から前記カード（20）が挿入されたことを知らせるシグナルが発生されると、前記カード接触部（16）を通じて前記カード（20）の情報を受信するよう制御するカード制御部（17）を具備している。
また、前記USB本体部（11）の内部に具備された前記中央処理装置部は、前記回路の動作をそれぞれ制御する役割を果たし、前記USB制御部（13）は前記USBコネクター部（14）を通じてデーターの送受信を制御する役割を果たす。そして、前記USBハブ制御部（14）は、パーソナルコンピュータにつないでいるUSBハブ（hub）を制御しUSBポートの数を調節する。前記メモリ部は前記USBコネクター部（12）を通じて受信されたデーターおよび認証書を保存する。
前記USBコネクター部（12）は前記パーソナルコンピュータのUSBポート、またはシリアルポートに接続して、前記スマートカードリーダー兼用USBドライブ装置（10）が動作するようインターフェースしてくれる。
これによって、前記スマートカードリーダー兼用USBドライブ装置（10）は、既存の保存機能に認証書を保存できる別途の空間を確保して、使用者がデーターや認証書を保存することを可能にし、スマートカードを読み取れるスマートカードリーダーの機能を同時に具現できる。
【００１０】
図2は、本発明のスマートカードリーダー兼用USBドライブ装置の他の実施例の構成図である。
図2に示すスマートカードリーダー兼用USBドライブ装置（110）は、USB制御部（130）、USBハブ制御部（140）、メモリ部（図示されていない）、カード挿入口（図示されていない）、カード接点スイッチ（150）、カード接触部（160）、カード制御部（170）および中央処理装置部（図示されていない）を含めた多数の部品が内蔵されたUSB本体部（110）と、前記USB本体部（110）の一側に突出形成されたUSBコネクター部（120）を具備している。そして、前記カード挿入口に挿入して設置するマルチカードアダプター（200）を具備している。前記マルチカードアダプター（200）を通じてマルチカード（300）を前記スマートカードリーダー兼用USBドライブ装置（110）に挿入するようになっている。この際、前記マルチカード（300）は、カードソケット部（310）とUSB制御部（320）を含めている。      
前記USB本体部（110）には、前記USB本体部（110）の他側に前記マルチカードアダプター（200）と前記マルチカードアダプター（200）を通じてマルチカード（300）を挿入できるよう形成されたカード挿入口が形成されている。そして、前記USB本体部（110）の内部には、前記カード挿入口を通じて挿入された前記マルチカード（300）によってスイッチングされるカード接点スイッチ（150）が設置されている。
【００１１】
また、前記USB本体部（110）の内部には、前記カード挿入口を通じて挿入されたマルチカード（300）のカードソケット部（310）と接触するカード接触部（160）が形成されている。この際、カード接触部（160）は、八つのピンからなっている接触端子で構成されており、これらの八つの接触端子は電源（VCC）端子、データー端子（D＋）（D−）を含んでいる。
また、前記USB本体部（110）の内部には、前記カード接点スイッチ（150）から前記カード（300）が挿入されたことを知らせるシグナルが発生されると、前記カード接触部（160）を通じて前記カード（300）の情報を受信するよう制御するカード制御部（170）を具備している。
また、前記USB本体部（110）の内部に具備されている前記中央処理装置部は、前記回路の動作をそれぞれ制御する役割を果たし、前記USB制御部（130）は前記USBコネクター部（120）を通じてデーターの送受信を制御する役割を果たす。そして、前記USBハブ制御部（140）は、パーソナルコンピュータにつないだUSBハブ（hub）を制御しUSBポートの数を調節する。前記メモリ部は前記USBコネクター部（120）を通じて受信されたデーターや認証書を保存する。
前記USBコネクター部（120）は前記パーソナルコンピュータのUSBポート、またはシリアルポートに接続して、前記スマートカードリーダー兼用USBドライブ装置（100）が動作するようインターフェースしてくれる。
【００１２】
これによって、前記スマートカードリーダー兼用USBドライブ装置（100）は、既存のデーター保存機能に認証書を保存できる別途の空間を確保して、使用者がデーターや認証書を保存することを可能にし、スマートカードを読み取れるスマートカードリーダーの機能を同時に具現できる。
本発明のスマートカードリーダー兼用USBドライブ装置は、容易に携帯できる多機能複合装置で、大容量のデーターを保存でき、速いデーター転送速度（例えば、480Mbps）を有し、多様なプラットホーム（Multos, Java, K−Cashなど）を支援できる。そして、前記スマートカードリーダー兼用USBドライブ装置は、別途の電源装置を必要としない。
また、本発明のスマートカードリーダー兼用USBドライブ装置は、外部の衝撃からも製品を安全に保護できるようポリカーボネート（PC）を利用して外観を構成した。また、スマートカードリーダーのコンタクトポイント（Contact Point）を金形に処理し大きさを超小型化した。
ともに、本発明の望ましい実施例等は、例示の目的のためのものであって、当業者なら本発明の思想や範囲内で多様な修正、変更、付加などが可能であるし、これらの修正、変更などは以下の実用新案登録請求範囲に属するものとみるべきである。
【産業上の利用可能性】
【００１３】
本発明は、スマートカードリーダーやUSBドライブ装置が使用される各種の産業で利用することが可能である。
【図面の簡単な説明】
【００１４】
【図１】本発明によるスマートカードリーダー兼用USBドライブ装置の構成図
【図２】本発明による他のスマートカードリーダー兼用USBドライブ装置の構成図
【符号の説明】
【００１５】
10,100・・・スマートカードリーダー兼用USBドライブ装置
11,110・・・本体部
12,120・・・USBコネクター部
13,130・・・USB制御部
1４,1４0・・・USBハブ制御部
15,150・・・カード接点スイッチ
16,160・・・カード接点部
17,170・・・カード制御部
20・・・カード（スマートカード）
200・・・マルチカードアダプター
300・・・マルチカード
310・・・カードソケット(socket)
320・・・USB制御部
【図１】
2005044358.tif 000003
【図２】
2005044358.tif 000004